(57)【要約】      （修正有）【課題】普段から使用しやすい装飾品として使用でき、さらに補聴器の落下紛失の不安を軽減できる補聴器イヤホン等落下防止耳飾り接続具を提供する。【解決手段】一端を補聴器、あるいはワイヤレスイヤホンなどの耳につける機器７に、金具や面ファスナーにより着脱可能な状態で接続し、他端も連結金具６により着脱可能な状態で耳飾り８に接続する落下防止耳飾り接続具１であって、耳飾りが補聴器の落下防止のアクセサリーとなる。不要な時には取り外しが簡単にできることから、ストレスなく利用形態に応じることが可能である。【選択図】図１
0003222399.tif 000002
【実用新案登録請求の範囲】
【請求項１】
鎖類の一端に、耳飾りに着脱自在に連結する連結金具を設け、他端は補聴器あるいはワイヤレスイヤホンなどの耳につける機器に、タグを使用して着脱可能に接続したことを特徴とする補聴器イヤホン等落下防止耳飾り接続具。
【請求項２】
鎖類の一端に耳飾りに着脱自在に連結する連結金具を設け、他端はタグに着脱自在に連結する連結金具を設けており、前記タグの裏面には補聴器あるいはイヤホンに貼付する接着面が構成されていることを特徴とする補聴器イヤホン等落下防止接続具。
【請求項３】
鎖類の一端に耳飾りに着脱自在に連結する連結金具を設け、他端は裏面に着脱自在となる部材を有するタグを設けており、前記タグと接続する連結部材の裏面には、補聴器あるいはイヤホンに貼付する接着面が構成されていることを特徴とする補聴器イヤホン等落下防止接続具。
【請求項４】
前記タグ裏面と、補聴器あるいはイヤホンに貼付する、前記連結部材との着脱に面ファスナー使用することを特徴とする、請求項３に記載の補聴器イヤホン等落下防止接続具。
【請求項５】
前記タグは柔らかく、補聴器やイヤホンの形状に合わせて、切り取りや湾曲が可能な材質からなることを特徴とする、請求項２から４のいづれか１項に記載の補聴器イヤホン等落下防止接続具。
【考案の詳細な説明】
【技術分野】
【０００１】  本考案は補聴器やワイヤレスイヤホン等の耳からの落下紛失防止機能を有するものである。
【背景技術】
【０００２】  従来より補聴器を落下紛失しないようにする方法がいく通りか提案されている。特許文献１の補聴器付きイヤリングと落下防止機能を有する補聴器では、連結部材に呼応するように加工された補聴器と、その補聴器に接続するために係止部の設けられた連結部材を有するイヤリングである。【０００３】  特許文献２の補聴器紛失防止具では、後頭部付近を迂回して耳の上方に位置するバックバンドと補聴器から伸びた紐材を連結する。
【先行技術文献】
【特許文献】
【０００４】
【特許文献１】特開２０１４−２２５７７１
【特許文献２】実用新案登録第３１９７５２５号
【非特許文献】
【０００５】
【非特許文献１】補聴器落下防止ストラップ
【考案の概要】
【考案が解決しようとする課題】
【０００６】  従来の耳掛け式補聴器に付随した落下防止用のテグスは刺激があると、ずれて、テグスごと補聴器が落下するなどのおそれがある。【０００７】  また多く使われている服の襟と補聴器をストラップで連結する補聴器落下防止ストラップは手軽に使用できるが、美的に劣る。【０００８】  眼鏡のつるに連結するものもあるが、眼鏡を外す際に補聴器も一緒に外さねばならず、眼鏡を使用しない人は利用できない。【０００９】  本考案はイヤリング、ピアス、イヤーカフ等の装飾品として使用者が従来、使用している耳飾りと、補聴器やワイヤレスイヤホン等の機器を鎖状のもので接続することで、機器の落下紛失の不安を軽減する落下防止具である。
【課題を解決するための手段】
【００１０】  請求項１から５に記載の補聴器イヤホン等落下防止耳飾り接続具は一端を補聴器やワイヤレスイヤホン等の耳に装着する機器に接続し、他端を使用者が従来、使用している耳飾りに接続することを特徴とする。【００１１】  同補聴器イヤホン等落下防止耳飾り接続具の補聴器やワイヤレスイヤホン等との接続部分、また、耳飾りとの接続部分がそれぞれ着脱可能となっていることを特徴とする。
【考案の効果】
【００１２】  本願の考案によれば、耳飾りと補聴器、ワイヤレスイヤホン等が鎖状のもので接続されており、万が一、補聴器やワイヤレスイヤホン等が外れても、耳飾りで固定されているため、落下を防ぐことが可能である。また、使用者が従来、使用している耳飾りに接続することで、美的な外観を損なうことなく使用することが可能である。
【図面の簡単な説明】
【００１３】
【図１】本考案に係る補聴器イヤホン等落下防止耳飾り接続具
【図２】同補聴器イヤホン等落下防止耳飾り接続具の使用状態を示す説明図
【図３】本考案に係る他の例を示す説明図１
【図４】本考案に係る他の例を示す説明図２
【考案を実施するための形態】
【００１４】  以下、図を用いて説明する。図１は本考案に係る補聴器イヤホン等落下防止耳飾り接続具の１例を示す説明図である。図２は本考案の使用状態を示す説明図、図３、図４は本考案に係る図１とは異なる例を示す説明図である。
【実施例】
【００１５】  図１、図２に示す補聴器イヤホン等落下防止耳飾り接続具１は補聴器、イヤホン本体７の落下、紛失を防止するためのものである。補聴器イヤホン等落下防止耳飾り接続具１はタグ２、鎖類５等から構成されている。【００１６】  タグ２は裏側に接着面を有しており、接着面を補聴器、ワイヤレスイヤホン７に貼り付けて使用する。タグ２は例えば布やシリコン等の柔らかな素材を使用し、機器のサイズに合わせて切り取りが可能、かつ機器の貼り付け部の形状に合わせて湾曲するため、より強固に接着が可能である。【００１７】  鎖類５は一端に耳飾り接続用連結金具６、他端はタグ接続用連結金具４を有している。耳飾り接続用連結金具６は耳飾りからの着脱用の接続金具で、耳飾りに自由に接続が可能である。タグ接続用連結金具４は補聴器に貼り付けたタグ２を構成しているタグ接続用連結金具受３に接続して使用する。【００１８】  図３の補聴器イヤホン等落下防止接続具１は面ファスナー凹９（連結部材）、鎖類５等から構成されている。【００１９】  図３の鎖類５は一端に耳飾り接続用連結金具６、他端は裏側に面ファスナー凸１０を有するタグ２を有している。補聴器、イヤホン本体７に面ファスナー凹９（連結部材）を貼り付け、補聴器、イヤホン本体７とタグ２を面ファスナー凹９（連結部材）と面ファスナー凸１０で付け外しする。【００２０】  図４は補聴器イヤホン等落下防止耳飾り接続具１をワイヤレスイヤホン７とピアス８のキャッチ金具部分に接続した例である。
【産業上の利用可能性】
【００２１】  本考案により利用者の持つ耳飾りと補聴器やワイヤレスイヤホンを手軽に接続することができ、美的な要素を損なうことなく、補聴器やワイヤレスイヤホンの落下による故障や紛失の不安を軽減することが可能な補聴器イヤホン等落下防止耳飾り接続具を提供することが可能である。
【符号の説明】
【００２２】  １  補聴器イヤホン等落下防止耳飾り接続具
２  タグ
３  タグ接続用連結金具受
４  タグ接続用連結金具
５  鎖類
６  耳飾り接続用連結金具
７  補聴器、イヤホン本体
８  耳飾り
９  面ファスナー凹（連結部材）
１０  面ファスナー凸
【図１】
0003222399.tif 000003
【図２】
0003222399.tif 000004
【図３】
0003222399.tif 000005
【図４】
0003222399.tif 000006
【手続補正書】
【提出日】平成31年4月26日(2019.4.26)
【手続補正１】
【補正対象書類名】実用新案登録請求の範囲
【補正対象項目名】全文
【補正方法】変更
【補正の内容】
【実用新案登録請求の範囲】
【請求項１】
鎖類の一端に、耳飾りに連結する着脱金具を設け、他端は補聴器あるいはワイヤレスイヤホンを、着脱金具あるいは面ファスナーにより、タグを使用して接続することを特徴とする補聴器イヤホン落下防止耳飾り接続具。
【請求項２】
鎖類の一端に耳飾りに連結する着脱金具を設け、他端はタグに連結する着脱金具を設けており、前記タグの裏面には補聴器あるいはワイヤレスイヤホンに貼付する接着面が構成されていることを特徴とする補聴器イヤホン落下防止耳飾り接続具。
【請求項３】
鎖類の一端に耳飾りに連結する着脱金具を設け、他端は裏面に面ファスナーを有するタグを設けており、前記面ファスナーと呼応する面ファスナーの裏面には、補聴器あるいはワイヤレスイヤホンに貼付する接着面が構成されていることを特徴とする補聴器イヤホン落下防止耳飾り接続具。
【請求項４】
前記タグは柔らかく、補聴器やワイヤレスイヤホンの形状に合わせて、切り取りや湾曲が可能な材質からなることを特徴とする、請求項２から３のいづれか１項に記載の補聴器イヤホン落下防止耳飾り接続具。
【手続補正３】
【補正対象書類名】明細書
【補正対象項目名】０００１
【補正方法】変更
【補正の内容】
【０００１】  本考案は補聴器やワイヤレスイヤホンの耳からの落下紛失防止機能を有するものである。
【手続補正４】
【補正対象書類名】明細書
【補正対象項目名】０００９
【補正方法】変更
【補正の内容】
【０００９】  本考案はイヤリング、ピアス、イヤーカフ等の装飾品として使用者が従来、使用している耳飾りと、補聴器やワイヤレスイヤホンを鎖状のもので接続することで、機器の落下紛失の不安を軽減する落下防止具である。
【手続補正５】
【補正対象書類名】明細書
【補正対象項目名】００１０
【補正方法】変更
【補正の内容】
【００１０】  請求項１から４に記載の補聴器イヤホン落下防止耳飾り接続具は一端を補聴器やワイヤレスイヤホンに接続し、他端を使用者が従来、使用している耳飾りに接続することを特徴とする。
【手続補正６】
【補正対象書類名】明細書
【補正対象項目名】００１１
【補正方法】変更
【補正の内容】
【００１１】  同補聴器イヤホン落下防止耳飾り接続具は補聴器やワイヤレスイヤホンとの接続部分、また、耳飾りとの接続部分がそれぞれ着脱可能となっていることを特徴とする。
【手続補正７】
【補正対象書類名】明細書
【補正対象項目名】００１２
【補正方法】変更
【補正の内容】
【００１２】  本願の考案によれば、耳飾りと補聴器、ワイヤレスイヤホンが鎖状のもので接続されており、万が一、補聴器やワイヤレスイヤホンが外れても、耳飾りで固定されているため、落下を防ぐことが可能である。また、使用者が従来、使用している耳飾りに接続することで、美的な外観を損なうことなく使用することが可能である。
【手続補正８】
【補正対象書類名】明細書
【補正対象項目名】００１３
【補正方法】変更
【補正の内容】
【００１３】
【図１】本考案に係る補聴器イヤホン落下防止耳飾り接続具
【図２】同補聴器イヤホン落下防止耳飾り接続具の使用状態を示す説明図
【図３】本考案に係る他の例を示す説明図１
【図４】本考案に係る他の例を示す説明図２
【手続補正９】
【補正対象書類名】明細書
【補正対象項目名】００１４
【補正方法】変更
【補正の内容】
【００１４】  以下、図を用いて説明する。図１は本考案に係る補聴器イヤホン落下防止耳飾り接続具の１例を示す説明図である。図２は本考案の使用状態を示す説明図、図３、図４は本考案に係る図１とは異なる例を示す説明図である。
【手続補正１０】
【補正対象書類名】明細書
【補正対象項目名】００１５
【補正方法】変更
【補正の内容】
【００１５】  図１、図２に示す補聴器イヤホン落下防止耳飾り接続具１は補聴器、ワイヤレスイヤホン本体７の落下、紛失を防止するためのものである。補聴器イヤホン落下防止耳飾り接続具１はタグ２、鎖類５等から構成されている。
【手続補正１１】
【補正対象書類名】明細書
【補正対象項目名】００１７
【補正方法】変更
【補正の内容】
【００１７】  鎖類５は一端に耳飾り接続用着脱金具６、他端はタグ接続用着脱金具４を有している。耳飾り接続用着脱金具６は、耳飾りの着脱を可能とするものである。タグ接続用着脱金具４は補聴器に貼り付けたタグ２を構成しているタグ接続用着脱金具受３に接続して使用する。
【手続補正１２】
【補正対象書類名】明細書
【補正対象項目名】００１８
【補正方法】変更
【補正の内容】
【００１８】  図３の補聴器イヤホン落下防止接続具１は面ファスナー凹９（着脱部材）、鎖類５等から構成されている。
【手続補正１３】
【補正対象書類名】明細書
【補正対象項目名】００１９
【補正方法】変更
【補正の内容】
【００１９】  図３の鎖類５は一端に耳飾り接続用着脱金具６、他端は裏側に面ファスナー凸１０を有するタグ２を有している。補聴器、ワイヤレスイヤホン本体７に面ファスナー凹９（着脱部材）を貼り付け、補聴器、ワイヤレスイヤホン本体７とタグ２を面ファスナー凹９（着脱部材）と面ファスナー凸１０で付け外しする。
【手続補正１４】
【補正対象書類名】明細書
【補正対象項目名】００２０
【補正方法】変更
【補正の内容】
【００２０】  図４は補聴器イヤホン落下防止耳飾り接続具１をワイヤレスイヤホン７とピアス８のキャッチ金具部分に接続した例である。
【手続補正１５】
【補正対象書類名】明細書
【補正対象項目名】００２１
【補正方法】変更
【補正の内容】
【００２１】  本考案により利用者の持つ耳飾りと補聴器やワイヤレスイヤホンを手軽に接続することができ、美的な要素を損なうことなく、補聴器やワイヤレスイヤホンの落下による故障や紛失の不安を軽減することが可能な補聴器イヤホン落下防止耳飾り接続具を提供することが可能である。
【手続補正１６】
【補正対象書類名】明細書
【補正対象項目名】００２２
【補正方法】変更
【補正の内容】
【００２２】  １  補聴器イヤホン落下防止耳飾り接続具
２  タグ
３  タグ接続用着脱金具受
４  タグ接続用着脱金具
５  鎖類
６  耳飾り接続用着脱金具
７  補聴器、ワイヤレスイヤホン本体
８  耳飾り
９  面ファスナー凹（着脱部材）
１０  面ファスナー凸